(57)【要約】【課題】  チャネルに従って編成される格納された情報を含む、デバイス上のコンテンツ中をナビゲートする装置および方法を提供すること。【解決手段】  チャネルに関連付けられているコンテンツが、少なくとも４つのセレクタを使用してデバイスのディスプレイ上で選択および閲覧される。セレクタは、デバイスの動作状態、モードまたはビューに基づいて、特定の機能にマップされる。デバイスは現在の動作状態を含み、これはチャネルスプラッシュ、チャネルビュー、拡張ビューおよびモードスプラッシュ動作状態に対応することができる。セレクタは、チャネルスプラッシュおよびモードスプラッシュ動作状態については、デバイスにおける一貫性のあるインタラクションを有するが、あるセレクタは、他の動作状態についてはコンテキスト特有の機能にマップされる。コンテキスト特有の機能性により、デバイスの挙動における大幅な柔軟性が可能となる。【選択図】  図３
2004213669.tif 000002
【特許請求の範囲】
【請求項１】
ディスプレイおよびユーザインターフェース選択デバイスを含むデバイス上でナビゲートするための方法において、
前記デバイス内の現在のチャネルを識別するステップであって、そこでは、前記デバイス内の各チャネルは、前記チャネルに関連付けられている、格納されたコンテンツを含むステップと、
第１のセレクタに応答して、前記現在のチャネルを別のチャネルに変更するステップと、
第２のセレクタに応答して、前記現在のチャネルをホームチャネルに変更するステップと、
前記ユーザインターフェース選択デバイスからの複数のセレクタを、前記現在のチャネルに関連付けられている機能にマップして、前記セレクタが、現在選択されているチャネルに関してコンテキスト依存（ｃｏｎｔｅｘｔ  ｓｅｎｓｉｔｉｖｅ）であるようにするステップと
を備えることを特徴とするナビゲートするための方法。
【請求項２】
前記第１および第２のセレクタは、別々の物理的セレクタ手段に対応することを特徴とする請求項１に記載のナビゲートするための方法。
【請求項３】
前記第１のセレクタおよび前記第２のセレクタは単一の物理的セレクタ手段に対応し、前記物理的セレクタ手段が第１の所定の時間間隔に渡ってアクティブである場合、前記第１のセレクタが起動され、前記物理的セレクタ手段が第２の所定の時間間隔に渡ってアクティブである場合、前記第２のセレクタが起動されることを特徴とする請求項１に記載のナビゲートするための方法。
【請求項４】
ディスプレイおよびユーザインターフェース選択デバイスを含むデバイス上でナビゲートするための方法において、
前記デバイス内の現在のチャネルを識別するステップであって、前記デバイス内の各チャネルは、前記チャネルに関連付けられている、格納されたコンテンツを含むステップと、
前記デバイスが第１の動作状態である場合、前記ユーザインターフェース選択デバイスからの複数のセレクタを、チャネル変更機能にマップするステップと、
前記デバイスが前記第１の動作状態であり、追加のチャネルが使用可能である場合、前記複数のセレクタの第１のセレクタに応答して、前記現在のチャネルを前のチャネルに変更するステップと、
前記デバイスが前記第１の動作状態であり、追加のチャネルが使用可能である場合、前記複数のセレクタの第２のセレクタに応答して、前記現在のチャネルを次のチャネルに変更するステップと、
前記デバイスが前記第１の動作状態である場合、所定の時間間隔の満了、および前記複数のセレクタの第４のセレクタの起動のうち少なくとも１つに応答して、第２の動作状態を起動するステップと、
前記第２の動作状態がアクティブである場合、前記現在のチャネルに関連付けられたコンテンツを示すように前記ディスプレイを更新するステップと
を備えることを特徴とするナビゲートするための方法。
【請求項５】
前記デバイスが前記第１の動作状態であり、追加のチャネルが使用可能である場合、前記複数のセレクタの第３のセレクタに応答して、前記現在のチャネルを次のチャネルに変更するステップをさらに備えることを特徴とする請求項４に記載のナビゲートするための方法。
【請求項６】
前記第１の動作状態がアクティブである場合、前記現在のチャネル選択を示すように前記ディスプレイを更新するステップをさらに備えることを特徴とする請求項４に記載のナビゲートするための方法。
【請求項７】
前記現在のチャネルが前記第１の動作状態において変更された場合、可聴インジケータを提供するサウンドを起動するステップをさらに備え、各可聴インジケータに関連付けられた前記サウンドは、各チャネルについて同じ、各チャネルについて一意、および各チャネルタイプについて一意のうち少なくとも１つであることを特徴とする請求項４に記載のナビゲートするための方法。
【請求項８】
各格納されたコンテンツは、前記デバイス上に格納される通信の少なくとも一部に対応し、各通信に関連付けられた前記コンテンツが通信チャネルに従って編成されることを特徴とする請求項４に記載のナビゲートするための方法。
【請求項９】
第３のセレクタが所定の時間間隔に渡って起動された場合、前記第１の動作状態を起動するステップ、および、前記現在のチャネルをホームチャネルに変更するステップをさらに備えることを特徴とする請求項４に記載のナビゲートするための方法。
【請求項１０】
前記デバイスが前記第２の動作状態である場合、前記現在のチャネルに関連付けられている現在のビューを選択するステップと、
前記デバイスが前記第２の動作状態である場合、前記ユーザインターフェース選択デバイスからの複数のセレクタを、前記現在のビューに関連付けられているコンテキスト特有の機能にマップするステップと、
前記デバイスが前記第２の動作状態である場合、前記現在のビューに関連付けられているコンテンツを示すように前記ディスプレイを更新するステップと
をさらに備えることを特徴とする請求項４に記載のナビゲートするための方法。
【請求項１１】
前記第２の動作状態を起動するステップは、前記現在のチャネルのためのデフォルトモードおよびデフォルトビューを選択するステップを含むことを特徴とする請求項１０に記載のナビゲートするための方法。
【請求項１２】
前記デバイスが前記第２の動作状態である場合、少なくとも１つのセレクタに応答して、前記コンテキスト特有の機能を起動するステップをさらに備え、前記指定された機能が、前記現在のビュー、および、前記現在のビューに関連付けられている現在のモードのうち少なくとも１つに関連付けられていることを特徴とする請求項１０に記載のナビゲートするための方法。
【請求項１３】
前記デバイスが前記第２の動作状態であり、追加のチャネルが使用可能である場合、前記複数のセレクタの第１のセレクタに応答して、前記現在のビューを前のビューに変更するステップと、
前記デバイスが前記第２の動作状態であり、追加のチャネルビューが使用可能である場合、前記複数のセレクタの第２のセレクタに応答して、前記現在のビューを次のビューに変更するステップと
をさらに備えることを特徴とする請求項１０に記載のナビゲートするための方法。
【請求項１４】
前記デバイスが前記第２の動作状態であり、アクションが前記現在のビューについて使用可能である場合、前記複数のセレクタの第４のセレクタの起動に応答して、アクションを実行するステップをさらに備えることを特徴とする請求項１０に記載のナビゲートするための方法。
【請求項１５】
前記デバイスが前記第２の動作状態である場合、前記セレクタの１つの拡張起動に応答して、リストブラウズ機能を起動するステップをさらに備え、前記リストブラウズ機能が、前記現在のビューからのコンテンツに関連付けられている索引を表示するように構成されることを特徴とする請求項１０に記載のナビゲートするための方法。
【請求項１６】
前記デバイスが前記第２の動作状態である場合、前記複数のセレクタの第３のセレクタの起動に応答して、第３の動作状態を起動するステップをさらに備えることを特徴とする請求項１０に記載のナビゲートするための方法。
【請求項１７】
前記デバイスが前記第３の動作状態である場合、前記現在のモードを示すように前記ディスプレイを更新するステップと、
前記デバイスが前記第３の動作状態であり、追加のモードが使用可能である場合、前記複数のセレクタの第１のセレクタに応答して、前記モードを前のモードに変更するステップと、
前記デバイスが前記第３の動作状態であり、追加のモードが使用可能である場合、前記複数のセレクタの第２のセレクタに応答して、前記モードを次のモードに変更するステップと
をさらに備えることを特徴とする請求項１６に記載のナビゲートするための方法。
【請求項１８】
前記デバイスが前記第３の動作状態である場合、所定の時間間隔の前記満了、および前記複数のセレクタの第４のセレクタの起動のうち少なくとも１つに応答して、前記第２の動作状態を起動するステップをさらに備えることを特徴とする請求項１６に記載のナビゲートするための方法。
【請求項１９】
前記デバイスが前記第３の動作状態である場合、前記複数のセレクタの第３のセレクタの起動に応答して、前記第１の動作状態を起動するステップをさらに備えることを特徴とする請求項１６に記載のナビゲートするための方法。
【請求項２０】
前記デバイスが前記第２の動作状態であり、拡張ビューが前記現在のビューについて使用可能である場合、前記複数のセレクタの第４のセレクタの起動に応答して、第４の動作状態を起動するステップをさらに備えることを特徴とする請求項１０に記載のナビゲートするための方法。
【請求項２１】
前記デバイスが前記第４の動作状態である場合、前記現在のチャネルに関連付けられている拡張ビューを選択するステップと、
前記デバイスが前記第４の動作状態である場合、前記ユーザインターフェース選択デバイスからの複数のセレクタを、前記現在の拡張ビューに関連付けられているコンテキスト特有の機能にマップするステップと、
前記デバイスが前記第４の動作状態である場合、前記現在の拡張ビューに関連付けられているコンテンツを示すように前記ディスプレイを更新するステップと
をさらに備えることを特徴とする請求項２０に記載のナビゲートするための方法。
【請求項２２】
前記デバイスが前記第４の動作状態である場合、前記複数のセレクタの第４のセレクタの起動に応答して、前記第２の動作状態を起動するステップをさらに備えることを特徴とする請求項２０に記載のナビゲートするための方法。
【請求項２３】
前記デバイスが前記第４の動作状態である場合、前記複数のセレクタの第３のセレクタの起動に応答して、第３の動作状態を起動するステップをさらに備えることを特徴とする請求項２０に記載のナビゲートするための方法。
【請求項２４】
前記デバイスが前記第４の動作状態である場合、少なくとも１つのセレクタに応答して、前記現在の拡張ビューのための前記コンテキスト特有の機能を起動するステップをさらに備え、前記コンテキスト特有の機能が前記現在の拡張ビューに関連付けられていることを特徴とする請求項２０に記載のナビゲートするための方法。
【請求項２５】
少なくとも２つのセレクタの同時の起動に応答して、拡張ナビゲーション機能を起動するステップをさらに備えることを特徴とする請求項４に記載のナビゲートするための方法。
【請求項２６】
ディスプレイと、
セレクタを含むユーザインターフェースと、
前記ユーザインターフェースおよび前記ディスプレイと対話するように構成される電子システムとを備える装置であって、前記電子システムが、
現在の動作状態を識別するステップと、
現在のチャネルを識別するステップであって、各チャネルが、格納されたコンテンツに関連付けられているステップと、
セレクタをコンテキスト特有の機能に、前記識別された動作状態に基づいてマップするステップと、
前記コンテキスト特有の機能が前記識別された動作状態について使用可能である場合、前記セレクタのうち少なくとも１つに応答して、前記コンテキスト特有の機能を起動するステップと、
前記現在の動作状態に関連付けられているコンテンツを表示するステップと
を行うように構成されることを特徴とする装置。
【請求項２７】
前記コンテキスト特有の機能は、第１の動作状態についてのチャネル変更機能、第２の動作状態についてのビュー変更および選択機能、第３の動作状態についてのモード変更機能、および第４の動作状態についての拡張ビュー変更機能に対応することを特徴とする請求項２６に記載の装置。
【請求項２８】
前記複数のセレクタは、セレクタボタン、ホィールタイプのデバイス、およびロッカースイッチデバイスのうち少なくとも１つを含むことを特徴とする請求項２６に記載の装置。
【請求項２９】
ディスプレイおよびユーザインターフェース選択デバイスを含むデバイス上でナビゲートするための方法において、
現在のチャネルを、使用可能なチャネルのセットから識別するステップであって、前記現在のチャネルは、格納されたコンテンツを含み、デフォルトチャネルは時間チャネルに対応するステップと、
第１および第２の動作状態のうち１つに対応する現在の動作状態を識別するステップと、
コンテキスト特有の機能を、前記ユーザインターフェース選択デバイス内のセレクタに、前記現在の動作状態に基づいてマップするステップと、
前記現在の動作状態が前記第１の動作状態に対応し、第１の条件が満たされた場合、前記第２の動作状態に入るステップであって、前記第１の条件は、タイムアウト条件が満了することおよび第４のセレクタが起動されることのうち少なくとも１つに対応するステップと、
前記現在の動作状態が前記第２の動作状態に対応し、チャネル選択機能が起動された場合、前記第１の動作状態に入るステップと、
前記現在の動作状態が前記第１の動作状態に対応し、追加のチャネルまたはモードが使用可能である場合、第１のセレクタの起動に応答して前の機能を実行するステップと、
前記現在の動作状態が前記第１の動作状態に対応し、追加のチャネルまたはモードが使用可能である場合、第２のセレクタの起動に応答して次の機能を実行するステップと、
前記現在の動作状態および現在のチャネルに関連付けられている情報を前記ディスプレイ上に表示するステップと
を備えることを特徴とするナビゲートするための方法。
【請求項３０】
前記第１の動作状態はチャネルスプラッシュに対応し、前記第２の動作状態はチャネルビューに対応することを特徴とする請求項２９に記載のナビゲートするための方法。
【請求項３１】
前記現在の動作状態が前記第２の動作状態に対応し、前記ユーザインターフェース選択デバイスの第３のセレクタが起動された場合、第３の動作状態に入るステップをさらに備えることを特徴とする請求項２９に記載のナビゲートするための方法。
【請求項３２】
前記現在の動作状態が前記第２の動作状態に対応し、第２の条件が満たされた場合、第４の動作状態に入るステップをさらに備え、前記ユーザインターフェース選択デバイスの第３のセレクタが起動され、拡張ビューが現在のビューについて使用可能である場合、前記第２の条件が満たされることを特徴とする請求項２９に記載のナビゲートするための方法。
【請求項３３】
第３のセレクタが所定の時間間隔に渡って起動された場合、ホームへナビゲートする機能を実行するステップをさらに備え、前記ホーム機能が前記デバイス上でホームチャネルに関連付けられていることを特徴とする請求項２９に記載のナビゲートするための方法。
【請求項３４】
ビュー可能情報を表示するように構成される、表示するための手段と、
セレクタを起動するように構成される、ユーザインターフェース手段と、
前記ユーザインターフェース手段および前記情報を表示するための手段と対話するように構成される処理手段であって、そこでは、
現在の動作状態を識別するように構成される、識別するための第１の手段と、
現在のチャネルを識別するように構成される、識別するための第２の手段であって、各チャネルが、格納されたコンテンツに関連付けられている手段と、
前記ユーザインターフェース手段内のセレクタをコンテキスト特有の機能に、前記識別された動作状態に基づいてマップするように構成される、マップするための手段と、
前記コンテキスト特有の機能が前記識別された動作状態について使用可能である場合、選択するための手段の少なくとも１つに応答して、前記コンテキスト特有の機能を起動するように構成される、起動手段と
を含む処理手段と、
前記ビュー可能情報を更新して、前記現在の動作状態に関連付けられているコンテンツを示すように構成される、更新する手段と
を備えることを特徴とする装置。
【請求項３５】
前記コンテキスト特有の機能は、第１の動作状態についてのチャネル変更機能、第２の動作状態についてのビュー変更および選択機能、第３の動作状態についてのモード変更機能、および第４の動作状態についての拡張ビュー変更機能に対応することを特徴とする請求項３４に記載の装置。
【発明の詳細な説明】
【技術分野】
【０００１】
本発明は一般にユーザインターフェースに関する。より詳細には、本発明は、インタラクションモデルを使用する情報中をナビゲートするためのシステムおよび方法に関する。
【背景技術】
【０００２】
社会がますます機動的になるにつれて、移動電子デバイスは普及と成長の大きな高まりを享受している。携帯電話、ワイヤレスＰＤＡ、ワイヤレスラップトップおよび他の移動通信デバイスは、主流の顧客の中に見事に浸透しつつある。いくつかのタイプの移動電子デバイスはプロセッサで制御されており、ユーザがより容易に、直観的にデバイスを操作できるようにするためのユーザインターフェースを有する。たとえば、いくつかの携帯電話は、電子メール、ウェブブラウザおよび他の非音声機能をサポートするためにグラフィカルデータを表示する表示ユニットを含む。様々なメニューを介してナビゲートし、グラフィカルデータを表示するために、移動電子デバイスのメーカはしばしば、移動電子デバイス上のボタンなどのセレクタを利用する。
【発明の開示】
【発明が解決しようとする課題】
【０００３】
しかしながら、従来のナビゲート方法の機能性にはいまだ改善の余地があった。
【課題を解決するための手段】
【０００４】
装置および方法は、デバイス上のコンテンツ中をナビゲートすることに関する。一実施例のデバイスは、チャネルに従って編成される格納された情報を含む、腕時計デバイスである。
【０００５】
チャネルに関連付けられているコンテンツが、デバイスのディスプレイ上で選択および閲覧される。ディスプレイタイプの例には、ＬＣＤタイプのディスプレイ（アクティブおよびパッシブ）、ＣＲＴタイプのディスプレイ、投影画面のディスプレイ（透過投影および反射投影）、バックライト付きおよびフロントライト付きなどの照明ディスプレイ、および、ユーザにより閲覧可能である表示画像の投影を提供する他のいかなるデバイスもが含まれる。このデバイスは、この方法に従ってナビゲーション機能を提供するように構成される、少なくとも４つのセレクタを含む。セレクタは、デバイス上の動作状態、モードまたはビューに基づいて、特定の機能にマップされる。デバイスは現在の動作状態を含み、これはチャネルスプラッシュ、チャネルビュー、拡張ビューおよびモードスプラッシュ動作状態に対応することができる。セレクタは、チャネルスプラッシュおよびモードスプラッシュ動作状態については、デバイスにおける一貫性のあるインタラクション（対話機能）を有するが、あるセレクタは、他の動作状態についてはコンテキスト特有の機能にマップされる。コンテキスト特有の機能により、デバイスの挙動における大幅な柔軟性が可能となる。拡張ナビゲーション機能をセレクタに、現在選択されているチャネルに基づいて割り当てることができる。拡張ナビゲーション機能は、対応するセレクタを所定の時間間隔に渡って起動（アクチベート）することによって選択される。
【０００６】
本発明およびその改良のより完全な理解を、以下で簡単に要約する添付の図面、以下の本発明の例示的実施形態の詳細な説明、および特許請求の範囲を参照することによって得ることができる。
【発明を実施するための最良の形態】
【０００７】
本発明を、電子デバイスのためのインタラクションモデルとの関連において説明する。説明する実施形態では、電子デバイスは、通信信号を受信するように特に構成される腕時計タイプのデバイスである。電子デバイスを、１つまたは複数の放送タワーからの放送送信を受信するように構成することができる。電子デバイスを、放送送信からのメッセージを受信および処理可能にすることができる。情報がクライアントデバイスによって受信および処理された後、ユーザは受動的または能動的に、電子デバイスに格納される情報を再閲覧することができる。クライアントデバイスのためのユーザインターフェースは、以下でさらに詳細に説明するインタラクションモデルを使用する。以下の詳細な説明を読むことから明らかになるように、放送送信の受信はインタラクションモデルにとって必要ではない。その代わりに、格納されたコンテンツを含むいかなるデバイスも、後述のインタラクションモデルに従って動作するように構成することができる。
【０００８】
本明細書では腕時計ベースのシステムとの関連において説明するが、応用例の教示は、ポータブルおよびデスクトップコンピュータ、携帯情報端末（ＰＤＡ）、携帯電話、アラーム時計、キーチェーン、冷蔵庫用磁石、掛け時計など、他のいかなる移動または非移動デバイスにも等しい適用可能性を有することは明らかになるであろう。腕時計の使用は、以下の考察を簡略化するための例示のためのみであり、「移動デバイス」または「電子デバイス」と交換可能に使用することができる。
【０００９】
「コンピュータ可読媒体」を、クライアント／サーバデバイスによってアクセスすることができるいかなる使用可能な媒体にもすることができる。限定ではなく例として、コンピュータ可読媒体は、コンピュータ記憶媒体および通信媒体を含むことができる。コンピュータ記憶媒体には、コンピュータ可読命令、データ構造、プログラムモジュールまたは他のデータなど、情報の格納のためのいずれかの方法または技術において実施される、揮発性および不揮発性、リムーバブルおよび非リムーバブル媒体が含まれる。コンピュータ記憶媒体には、それだけに限定されないが、ＲＡＭ、ＲＯＭ、ＥＥＰＲＯＭ、フラッシュメモリまたは他のメモリ技術、ＣＤ−ＲＯＭ、デジタル多用途ディスク（ＤＶＤ）または他の光記憶、磁気カセット、磁気テープ、磁気ディスク記憶または他の磁気記憶デバイス、または、所望の情報を格納するために使用することができ、クライアント／サーバデバイスによってアクセスすることができる他のいずれかの媒体が含まれる。通信媒体は通常、コンピュータ可読命令、データ構造、プログラムモジュール、または、搬送波または他の移送メカニズムなどの変調データ信号における他のデータを実施し、いずれかの情報配信媒体を含む。「変調データ信号」という用語は、信号における情報を符号化するような方法でその特性の１つまたは複数が設定または変更されている信号を意味する。限定ではなく例として、通信媒体には、有線ネットワークまたは直接有線接続などの有線媒体、および、音響、ＲＦ、赤外線および他のワイヤレス媒体などのワイヤレス媒体が含まれる。上記のいずれの組合せも、コンピュータ可読媒体の範囲内に含まれる。
【００１０】
「コンテンツ」という用語は、電子デバイスに格納することができるいかなる情報とすることもできる。限定ではなく例として、コンテンツは、グラフィカル情報、テキスト情報、および、グラフィカルおよびテキスト情報のいかなる組合せをも含むことができる。コンテンツを表示可能情報および／または可聴情報とすることができる。可聴情報は１つまたは複数のサウンドからなる。「サウンド」という用語を、単一のサウンド、サウンドのストリーム、単一のサウンドおよび／またはサウンドのストリームの繰り返しのいかなる組合せとすることもできる。コンテンツはまた他のタイプのユーザ受信可能情報をも含むことができ、これはディスプレイ（たとえば、バックライト付きディスプレイ）上の照明の起動（アクチベート（動作可能状態にすること））および／または非活動化、およびデバイス内の振動効果の起動などである。
【００１１】
「ディスプレイ」という用語は、グラフィカルおよび／またはテキスト情報の閲覧を実現するように構成されるいかなるデバイスとすることもできる。ディスプレイタイプの例には、ＬＣＤタイプのディスプレイ（アクティブおよびパッシブ）、ＣＲＴタイプのディスプレイ、投影画面のディスプレイ（透過投影および反射投影）、バックライト付きおよびフロントライト付きなどの照明ディスプレイ、ならびに他の物が含まれる。
【００１２】
一実施例のデバイスは、チャネルに従って編成される格納された情報を含む。チャネルに関連付けられているコンテンツが、セレクタ（たとえば、４つのセレクタ）を使用してデバイスのディスプレイ上で選択および閲覧される。セレクタは、デバイスの動作状態、モードまたはビューに基づいて、特定の機能にマップされる。デバイスは現在の動作状態を含み、これはチャネルスプラッシュ、チャネルビュー、拡張ビューおよびモードスプラッシュ動作状態に対応することができる。セレクタは、チャネルスプラッシュおよびモードスプラッシュ動作状態については、デバイスにおける一貫性のあるインタラクションを有するが、あるセレクタは、他の動作状態についてはコンテキスト特有の機能にマップされる。コンテキスト特有の機能性により、デバイスの挙動における大幅な柔軟性が可能となる。
【００１３】
インタラクションモデルのための全体の動作環境を、以下のように図１〜２を参照して論ずる。後述の実施例はワイヤレス通信システムについての詳細を含むが、インタラクションモデルはそのように限定されない。インタラクションモデルは、格納されたコンテンツを有するいかなるデバイスのためのナビゲーションおよび関連機能にも適用される。
【００１４】
動作環境
図１は、インタラクションモデルのための一実施例の動作環境（１００）を例示する。図に例示するように、ＦＭトランシーバまたは放送が通信チャネル（１１０）を介して様々な電子デバイスに送信される。ＦＭ受信器またはトランシーバを有する電子デバイスの例には、デスクトップコンピュータ、腕時計、ポータブルコンピュータ、ワイヤレス携帯電話（携帯電話）および携帯情報端末（ＰＤＡ）が含まれる可能性がある。電子デバイスは、ＦＭ放送からの情報を受信するように構成される。ＦＭ放送をいかなる数のタイプにすることもでき、これには、それだけに限定されないが、標準ＦＭ送信、副搬送波ＦＭ送信、または、望ましい可能性のある他のいかなるタイプのＦＭ送信もが含まれる。
【００１５】
インタラクションモデルに従って動作するように構成される電子システムを含むことができる電子デバイスの実施例を、図１に例示する。電子システムは、上述のＦＭ送信システムなど、ワイヤレスインターフェースを使用することができる。各電子システムはメッセージ／情報を、通信チャネルを介して受信する。
【００１６】
各放送送信は、１つまたは複数のフレームの送信に対応する。各フレームは多数のメッセージを含むことができ、いくつかのメッセージは公共放送（またの名を「グローバル」または「共有」メッセージ）であり、他のメッセージはクライアント特有のメッセージ（またの名を「パーソナル」または「プライベート」メッセージ）である。指定されたサービス地域内に位置するあらゆるクライアントが共有メッセージを受信することができると同時に、単一のクライアントがプライベートメッセージを復号化することができる。
【００１７】
電子デバイス（たとえば、ワイヤレス腕時計デバイス）はメッセージパケットを、クライアントデバイスに向けて送られる共有およびプライベートメッセージに従って受信する。メッセージパケットは、論理スロット（またはチャネル）エントリ番号に従ってグループに編成される。たとえば、特定の電子デバイスは、使用可能なチャネルから選択されたチャネルのグループを受信するように構成される。これらの各チャネルに関連付けられたメッセージパケットがクライアントデバイスにおいて、受信、処理および格納される。格納されたメッセージパケットを、本明細書でさらに詳しく説明するインタラクションモデルを使用するユーザインターフェースを使用して、再閲覧することができる。
【００１８】
チャネルの実施例には、時間チャネル、メッセージチャネル、連絡先チャネル、カレンダチャネル、天気チャネル、株式チャネル、ニュースチャネルおよびゲームチャネルが含まれる。各チャネルに関連付けられたメッセージは、そのチャネルの詳細に基づくメッセージコンテンツを含む。たとえば、天気チャネルは、地方の地域における現在の天気、国内の地域における現在の天気、および海外の地域における現在の天気が含まれる可能性がある。この実施例では、電子デバイス上の天気チャネルを選択することによって、各天気予報を選択および再閲覧することができる。
【００１９】
例示的電子システム
図２は、電子デバイス（２００）の機能コンポーネントを例示する概略図である。電子デバイス（２００）は、プロセッサ（２６０）、メモリ（２６２）、ディスプレイ（２２８）およびユーザインターフェース（２３２）を有する。メモリ（２６２）は一般に、揮発性メモリ（たとえば、ＲＡＭ）および不揮発性メモリ（たとえば、ＲＯＭ、フラッシュメモリなど）を含む。電子デバイス（２００）はオペレーティングシステム（２６４）を含み、これはＭｉｃｒｏｓｏｆｔ  ＣｏｒｐｏｒａｔｉｏｎによるＷｉｎｄｏｗｓ（登録商標）ＣＥオペレーティングシステムまたは別のオペレーティングシステムなどであり、メモリ（２６２）上に常駐し、プロセッサ（２６０）上で実行する。ユーザインターフェース（２３２）を一連のプッシュボタン、スクロールホィール、（通常の電話上などの）数値ダイヤルパッド、または別のタイプのユーザインターフェース手段にすることができる。ディスプレイ（２２８）を、液晶ディスプレイ、または、前述した他のいかなるタイプのディスプレイにすることもできる。一実施例では、ディスプレイ（２２８）を、入力デバイスとして動作するようにタッチセンシティブにすることができる。
【００２０】
１つまたは複数のアプリケーションプログラム（２６６）がメモリ（２６２）にロードされ、オペレーティングシステム（２６４）上で実行する。アプリケーションプログラムの例には、電話ダイヤラープログラム、電子メールプログラム、スケジューリング／カレンダリングプログラム、ＰＩＭ（パーソナル情報管理）プログラム、インターネットブラウザプログラムなどが含まれる。電子デバイス（２００）はまた不揮発性記憶装置（２６８）も含み、これはメモリ（２６２）内に位置する。不揮発性記憶装置（２６８）を使用して持続的な情報を格納することができ、この情報は、電子デバイス（２００）の電力が落とされる場合、失われるべきではない。アプリケーション（２６６）は、記憶装置（２６８）において情報を使用および格納することができ、この情報は、電子メールアプリケーションによって使用される電子メールまたは他のメッセージ、ＰＩＭによって使用される連絡先情報、スケジューリングプログラムによって使用されるアポイントメント情報、文書処理アプリケーション、インスタントメッセージングアプリケーションのためのインスタントメッセージ、テキストメッセージングアプリケーションのためのテキストメッセージによって使用される文書などである。
【００２１】
電子デバイス（２００）は電源装置（２７０）を有し、これを１つまたは複数のバッテリとして実施することができる。電源装置（２７０）はさらに外部電源を含むことができ、これはＡＣアダプタ、または、バッテリを補うかあるいは再充電する給電ドッキングクレードルなどである。
【００２２】
電子デバイス（２００）はまた図では、２つのタイプの外部通知メカニズムであるＬＥＤ（２４０）およびオーディオインターフェース（２７４）も有する。これらのデバイスを電源装置（２７０）に直接結合し、たとえプロセッサ（２６０）および他のコンポーネントがシャットダウンしてバッテリ電力を保存する可能性があるとしても、これらのデバイスが起動（アクチベート）された場合、通知メカニズムによって指図された持続時間に渡ってオンのまま残るようにすることができる。ＬＥＤ（２４０）を、ユーザがデバイスの電源オン状況を示す処置を取るまで、無期限にオンのまま残るようにプログラムすることができる。オーディオインターフェース（２７４）が使用されて、ユーザに可聴信号が提供され、ユーザからの可聴信号が受信される。たとえば、オーディオインターフェース（２７４）を、電話の会話を促進するように、あるいは音声認識を使用したユーザインターフェースとして、可聴出力を提供するためのスピーカに、また、可聴入力を受信するためのマイクロフォンに結合することができる。
【００２３】
電子デバイス（２００）はまた無線インターフェース層（２７２）をも含むことができ、これは、無線周波数通信を受信および／または送信する機能を実行する。無線インターフェース層（２７２）は、電子デバイス（２００）と外界の間で通信事業者またはサービスプロバイダを介したワイヤレス接続性を促進する。無線インターフェース層（２７２）との送信は、オペレーティングシステム（２６４）の制御下で行われる。すなわち、無線インターフェース層（２７２）によって受信された通信をアプリケーションプログラム（２６６）へ、オペレーティングシステム（２６４）を介して配布することができ、逆もまた同様である。
【００２４】
電子デバイス２００は、ワイヤレスインターフェースを含む腕時計デバイスなど、移動電子デバイスであることができる。腕時計デバイスのための例示的ユーザインターフェースを図３、図４および図５に示し、これを以下で説明する。後述のユーザインターフェース構成には多数のセレクタボタン（たとえば、４つのセレクタボタン）が含まれるが、セレクタボタンのうち多数の機能を単一のセレクタによって結合することができる（たとえば、ボタン、ロッカー（ロケット）スイッチ、ホィールなど）。
【００２５】
例示的ユーザインターフェース（ＵＩ）
図３は例示的腕時計デバイス（３００）を例示し、これは、記載のインタラクションモデルに従って動作するように構成される電子システムへのユーザインターフェースを含む。腕時計デバイス（３００）はベゼル（３１０）を含み、これは電子システム（たとえば、図２を参照）を有する。電子システムは機能を、図２に関して前述したハードウェアと整合性が取れる方法で実行する。ベゼル（３１０）は液晶ディスプレイなどのディスプレイ（３２０）を有する。一実施形態では、腕時計の針がディスプレイ（３２０）上で電子的に生成される。代替実施形態では、ベゼルはアナログタイプの腕時計の針を含み、これらはディスプレイ（３２０）に有害に干渉しない。腕時計デバイス（３００）は一連のボタン（３３０）を含み、これらがユーザインターフェース（ＵＩ）として動作するように構成される。
【００２６】
各ボタンは、ユーザインターフェース内でセレクタとして動作する。あらゆるボタンは、デフォルト機能および／またはコンテキスト決定機能を有する。現在選択されているチャネルおよびモードは、各セレクタについてのコンテキストを決定する。別法として、現在アクティブな表示が各セレクタについてのコンテキストを決定することができる。たとえば、表示画面（たとえば、ヘルプ画面）をメインディスプレイ上でスーパーインポーズして、この表示画面がアクティブなコンテキストになるようにすることができる。電子デバイス（３００）はコンテキスト依存であり、各セレクタに関連付けられている機能は、選択されたチャネルおよびモードまたは表示画面に基づいて変わることができる。
【００２７】
複数のセレクタの第１のセレクタであるボタン「ａ」（３３０）は、現在選択されているチャネル内のアップ、ページアップまたは前ページのプライマリ（またはデフォルト）機能を有する。第１のセレクタであるボタン「ａ」（３３０）はまた、現在選択されているチャネルおよびモードまたは表示のコンテキスト内で定義される代替機能も有する。たとえば、タイマ機能（たとえば、カウントダウンタイマまたはストップウォッチタイマ）が表示上でアクティブである場合、第１のセレクタを、タイマを開始／停止させるように構成することができる。リスト表示モードでは、電子デバイスは、特定のチャネルに関連付けられている使用可能なメッセージまたはコンテンツのリストを表示する。時間チャネルはメイン時間画面、クロノグラフ画面、アラーム画面およびタイマ画面を含むことができる。現在選択されているチャネルが時間チャネルである場合、第１のセレクタを起動して、電子デバイス上で時間を設定し、クロノグラフを開始させ、タイマを設定し、あるいはアラームを設定することができる。時間／タイマ／アラームの設定は、第１のセレクタを所定の期間に渡って起動することによって実施される。たとえば、セレクタが図３のようなボタンである場合、このボタンが、設定機能が起動される前に２から５秒などのタイムアウト間隔に渡って保持される。タイムアウト間隔を、現在アクティブなチャネル、モードおよび表示のコンテキストに応じて、あらゆるボタンおよび／または同じボタンについて異なるようにすることができる。
【００２８】
複数のセレクタの第２のセレクタであるボタン「ｂ」（３３０）は、現在選択されているチャネル内のダウン、ページダウンまたは次ページのプライマリ（またはデフォルト）機能を有する。第２のセレクタであるボタン「ｂ」（３３０）はまた、現在選択されているチャネルおよびモードまたは表示のコンテキスト内で定義される代替機能も有することができる。たとえば、タイマ機能（たとえば、カウントダウンタイマまたはストップウォッチタイマ）が表示上でアクティブである場合、第２のセレクタを、タイマをリセットするように構成することができる。もう１つの実施例では、第２のセレクタが、所定の時間間隔（たとえば、２秒）に渡って起動されて、特定のチャネル内で「削除」機能が選択される。もう１つの実施例では、第２のセレクタが、所定の時間間隔に渡って起動されて、特定のチャネル内で「リストブラウズ」機能が選択される。さらにもう１つの実施例では、第１および第２のセレクタの機能性が単一の入力メカニズムに結合される。
【００２９】
複数のセレクタの第３のセレクタであるボタン「ｃ」（３３０）は、モードまたはチャネル選択のプライマリ（またはデフォルト）機能を有する。第３のセレクタであるボタン「ｃ」（３３０）はまた、現在選択されているチャネルおよびモードまたは表示のコンテキスト内で定義される代替機能も有することができる。一実施例では、第３のセレクタが、所定の時間間隔（たとえば、２秒）に渡って起動されて、メインチャネルが選択される。腕時計デバイス内のメインチャネルは腕時計の面である。「ｃ」ボタンのための代替の位置（３３２）は、図３のように、腕時計のベゼルの下中央に対応する。一実施例では、第３のセレクタは、ホィールなど、「ダイアル」または「ディスク」タイプのセレクタである。
【００３０】
複数のセレクタの第４のセレクタであるボタン「ｄ」（３３０）は、「エンター」のプライマリ（またはデフォルト）機能を有する。「エンター」機能はコンテキスト依存であり、選択されたチャネルに関連付けられているエンター機能を起動するため、あるいは、選択リストから現在アクティブである次の項目を選択するために使用される。一実施例では、第４のセレクタ（またはエンター機能）は、モードスプラッシュ画面がアクティブである場合、「モード選択」機能に関連付けられている。もう１つの実施例では、第４のセレクタ（またはエンター機能）は、チャネルスプラッシュ画面がアクティブである場合、「チャネル選択」機能に関連付けられている。さらにもう１つの実施例では、第４のセレクタ（またはエンター機能）は、チャネルビューがメッセージチャネルについてアクティブである場合、「詳細ビューに入る」機能に関連付けられている。第４または「ｄ」セレクタの起動により、現在選択されているメッセージに関連付けられた詳細ビューに入るなど、コンテキスト特有の「エンター」機能を起動する。
【００３１】
第４のセレクタであるボタン「ｄ」（３３０）はまた、現在選択されているチャネルおよびモードまたは表示のコンテキスト内で定義される代替機能も有することができる。たとえば、第４のセレクタが、所定の時間間隔（たとえば、２秒）に渡って起動されて、表示上で項目が徐々に消去される。この実施例では、消去機能なアクティブである（たとえば、ボタン「ｄ」が押し下げられたまま維持される）間、表示領域内の追加の項目が消去され、第４のセレクタが非活動化された場合（たとえば、ボタン「ｄ」を離すことによる）、消去機能が非活動化される。
【００３２】
４つのセレクタは、電子デバイスが各チャネル上のコンテンツのナビゲートおよび選択を単純な方法で実施するように、構成される。オプショナルの第５のセレクタ（たとえば、ボタン「ｅ」３３４）を、バックライトまたは別の所望の機能など、他の機能を提供するように構成することができる。
【００３３】
図４は、インタラクションモデルに従って動作するように構成される電子システムへのユーザインターフェースを含む、もう１つの実施例の腕時計デバイス（４００）を例示する。腕時計デバイス（４００）は、図３に関して論じた物と実質的に類似の方法で構成される。しかし、第４のセレクタ（たとえば、ボタン「ｄ」）の位置が、ベゼルの下中央部（セレクタ３３２の位置）の辺りに位置する。図４のセレクタの動作は、図３に関して説明した物に等しい。
【００３４】
図５は、インタラクションモデルに従って動作するように構成される電子システムへのユーザインターフェースを含む、もう１つの実施例の腕時計デバイス（５００）を例示する。腕時計デバイス（５００）は、図３に関して論じた物と実質的に類似の方法で構成される。しかし、第１、第２および第３のセレクタ（たとえば、ボタン「ａ」、「ｂ」および「ｄ」）が、ホィールタイプのデバイス（５３０）で置き換えられる。「ａ」および「ｂ」セレクタの機能は、ホィールデバイス（５３０）を反時計回りおよび時計回りに回転させることによって起動される。「ｄ」セレクタの機能は、ホィールデバイス（５３０）を腕時計のベゼルの方に押すことによって起動される。
【００３５】
代替実施例では、「ａ」および「ｂ」ボタンタイプのセレクタが、ロッカータイプのスイッチによって置き換えられ、これを、図３および４に例示した「ａ」および「ｂ」セレクタの位置に向けて押し下げることができる。さらにもう１つの実施例では、タッチスクリーンインターフェースが、腕時計デバイスのためのセレクタとして使用される。他のセレクタメカニズムの実施例を使用することができる。もう１つの代替実施例では、１つまたは複数のセレクタを除去して、より少数の物理的セレクタ手段が必要となるようにする（たとえば、特定の機能の除去、または多数の機能が単一のセレクタ手段によって提供される）。
【００３６】
一実施例では、「ａ」セレクタを除去して、「ｂ」セレクタのみを使用して単一方向（たとえば、下）にナビゲートできるようにする。最後の項目またはページが閲覧された後、「ｂ」セレクタを追加の時間に押し下げることにより、最初の項目またはページにラップアラウンドすることができる。もう１つの実施例では、多数の機能を単一のセレクタに、タイムアウトシーケンスを使用して結合させて、より少数の物理的セレクタを使用して同じ機能性に作用できるようにすることができる。「ｃ」セレクタの押し下げは、短い時間間隔（たとえば、１秒）に渡って押し下げられた場合、「エンター」機能を実行することができ、中位の時間間隔（たとえば、２秒）に渡って押し下げられた場合、「モードスプラッシュにナビゲート」機能を実行することができ、長い時間間隔（たとえば、３秒）に渡って押し下げられた場合、「チャネルスプラッシュ画面にナビゲート」機能を実行することができ、より長い時間間隔（たとえば、４秒）に渡って押し下げられた場合、「ホームにナビゲート」機能を実行することができる。
【００３７】
プロセスの流れ
一実施例の電子デバイスのナビゲーション機能についてのプロセス流れ図を、図６Ａ〜６Ｄに例示する。図６Ａに例示したプロセス流れ図は、主にチャネルスプラッシュ動作を中心に扱う。図６Ｂに例示したプロセス流れ図は、主にビュー動作を中心に扱う。図６Ｃに例示したプロセス流れ図は、主に拡張ビュー動作を中心に扱う。図６Ｄに例示したプロセス流れ図は、主にモードスプラッシュ動作を中心に扱う。
【００３８】
あらゆる電子デバイスは、ホームチャネルに対応する少なくとも１つのチャネルを有していてもよい。腕時計タイプのデバイスでは、ホームチャネルは例として時間チャネルに対応する。しかし、異なるホームチャネルをあらゆる電子デバイスに割り当てることができる。デバイスが１つだけチャネルを有する場合、その１つのチャネルはホームチャネルに対応する。現在選択されているチャネルがホームチャネルに対応する場合は常に、以前のチャネルが最後のチャネルに対応する（複数のチャネルがデバイス上で存在する場合）。同様に、現在のチャネルが電子デバイスのためのチャネルリスト内の最後のチャネルである場合、次のチャネルがホームチャネルに対応する。
【００３９】
あらゆる電子デバイスはセレクタ（たとえばボタン）のセットを有し、これらが選択的に起動されて、デバイス内の様々な機能がナビゲートされる。セレクタの実施例を図３から５に例示する。以下の考察のために、各セレクタを、「ａ」、「ｂ」、「ｃ」、「ｄ」および「ｅ」などの文字によって示す。いくつかの代替セレクタ機能を、所定の時間間隔（たとえば、２秒）に渡るセレクタボタンの継続した起動によって選択することができる。これらの代替セレクタ機能は一般に、セレクタ機能の指示文字に隣接した「＋」記号によって示される（たとえば、「ｃ＋」）。
【００４０】
後述の電子デバイスの実施例は４つのセレクタ機能を含み、これらは文字「ａ」、「ｂ」、「ｃ」および「ｄ」によって示される。「ｅ」セレクタを、バックライト、バックチャネルセレクタなどの追加の機能、ならびに他のいずれかの所望の機能を提供するように構成することができる。追加の拡張機能もまた、多数のセレクタの組合せを通じてアクセス可能にすることができる。たとえば、「ｄ」および「ａ」セレクタを共に（「ｄ＋」＆「ａ＋」）所定の時間間隔に渡って保持することを、「画面調整」機能など、電子デバイス内で特殊設定を選択するために行うことができる。拡張機能の一実施例を図８に例示する。追加の拡張機能もまた、「ｄ＋」＆「ｂ＋」、「ａ＋」＆「ｂ＋」、ならびに他の物など、他のセレクタの組合せを使用して実施することができる。
【００４１】
「起動する」という用語は、対応する文字に関連付けられた機能の起動を指す。各セレクタ文字（たとえば、「ａ」、「ｂ」、「ｃ」および「ｄ」）に関連付けられた機能を、図３〜５に関して前述したように、より少数の物理的セレクタにより実施することができる。一実施例では、起動は、ボタンを押し下げることによって実施される。もう１つの実施例では、起動は、ボタン（または他のセレクタ手段）を所定の時間間隔に渡って押し下げることによって実施される。さらにもう１つの実施例では、起動は、ホィールまたはロッカータイプの手段を回転させることによって実施される。
【００４２】
チャネルスプラッシュ動作状態
チャネルスプラッシュ動作状態を、以下のように図６Ａを参照して説明する。  
電子デバイスが初期化される場合（たとえば、電源を入れるシーケンスの直後）、電子デバイスはチャネルスプラッシュ動作状態を起動する。電子デバイスはデフォルトの初期チャネルを有し、これがホームチャネルと呼ばれる。ブロック６１４で、表示が更新されて、現在選択されているチャネルが示される。処理がブロック６１１に進み、そこでチャネルスプラッシュ動作状態がアイドル状態で維持される。電子デバイス内の電子システムは、チャネルスプラッシュＩＤＬＥ状態の間、ユーザインターフェース（たとえば、４つのセレクタ）を監視する。ユーザが１つまたは複数のセレクタ（たとえば、４つのセレクタのうち１つ）を起動する場合、処理がチャネルスプラッシュＩＤＬＥ状態を離れる。
【００４３】
ブロック６１１でチャネルスプラッシュＩＤＬＥ状態がアクティブである間、表示は能動的にスプラッシュ画面を維持して、現在のチャネル選択を示す。スプラッシュ画面は、１つまたは複数のグラフィック要素および／またはテキスト要素を含むことができる。スプラッシュ画面の実施例を図８および９に例示する。スプラッシュ画面にサウンドの起動が伴う可能性があり、これは、チャネルが変化したという可聴インジケータを提供する。可聴インジケータに関連付けられたサウンドを、各チャネルスプラッシュ画面について同じにすることができ、あるいは、特定のチャネルまたは特定のチャネルタイプに基づいて一意（ユニーク）にすることができる（たとえば、ニュースチャネルは１つのタイプであり、メッセージは別のタイプである）。
【００４４】
「ａ」セレクタが起動される（たとえば、「ａ」ボタンを押し下げる）場合、処理が、チャネルスプラッシュＩＤＬＥ状態（６１１）から「ナビゲートアップ」または「前のチャネルにナビゲート」機能（６１２）に流れる。処理がブロック６１２からブロック６１４に進み、そこで表示が、新たに選択されたチャネルに基づいて更新される。表示が更新された後、処理がチャネルスプラッシュＩＤＬＥ状態（６１１）に戻る。
【００４５】
「ｂ」セレクタまたは「ｃ」セレクタが起動される（たとえば、「ｂ」または「ｃ」ボタンを押し下げる）場合、処理が、チャネルスプラッシュＩＤＬＥ状態（６１１）から「ナビゲートダウン」または「次のチャネルにナビゲート」機能（６１３）に流れる。処理がブロック６１３からブロック６１４に進み、そこで表示が、新たに選択されたチャネルに基づいて更新される。表示が更新された後、処理が再度チャネルスプラッシュＩＤＬＥ状態（６１１）に戻る。例示的チャネルスプラッシュスクリーンについては図８および９を参照されたい。
【００４６】
「ｃ＋」セレクタが起動された場合、処理が、チャネルスプラッシュＩＤＬＥ状態（６１１）から「最初のチャネルにナビゲート」または「ホームチャネルにナビゲート」機能（６１５）に流れる。ホームチャネルナビゲーション機能に、電子デバイスのいかなるチャネルまたはチャネルビューからもアクセスすることができる。「ホームチャネルにナビゲート」機能が起動された場合、電子デバイスがホームチャネル（たとえば、腕時計デバイス上の時間チャネル）にナビゲートする。処理がブロック６１３からブロック６１４に進み、そこで表示が、新たに選択されたチャネル（すなわち、ホームチャネル）に基づいて更新される。表示が更新された後、処理が再度チャネルスプラッシュＩＤＬＥ状態（６１１）に戻る。
【００４７】
「ｄ」セレクタが起動される（たとえば、「ｄ」ボタンを押し下げる）場合、処理が、チャネルスプラッシュＩＤＬＥ状態（６１１）から「チャネルに入る」機能（６１６）に流れる。別法として、電子システムがチャネルスプラッシュＩＤＬＥ状態で所定の時間間隔（たとえば、２秒）に渡ってセレクタの起動なしに維持される場合、「チャネルに入る」機能が起動される。「チャネルに入る」機能が「Ｖ」によって示されるように起動された場合、処理がブロック６１６からブロック６２４（図６Ｂを参照）に流れる。
【００４８】
チャネルに入る機能は、チャネルスプラッシュ動作状態を離れてチャネルビュー動作状態に入ることに先立って、電子デバイスにおいて一連の初期化を実行する。電子デバイス内のあらゆるチャネルが少なくとも１つの動作モードを有する。「チャネルに入る」機能が起動された場合、電子デバイスは現在の動作モードをデフォルトモードとして、現在のビューを、現在選択されているチャネル内のデフォルトビューとして選択する。
【００４９】
一実施例では、天気チャネルは、地方の天気動作モード、国内の天気動作モードおよび海外の天気動作モードを有する。一連のビューが各動作モードに関連付けられている。たとえば、地方の天気チャネルは、シアトルの現在の気温を示すコンテンツを含むビューを有することができるが、国内の天気チャネルは、ある地域に渡る気温を示すコンテンツを含むビューを有することができる。
【００５０】
チャネルビュー動作状態
チャネルビュー動作状態を、以下のように図６Ｂを参照して説明する。  
電子デバイスがエントリポイントＶでチャネルビュー動作状態に入り、そこで、現在選択されているチャネルに関連付けられたセレクタ機能および動作モードがセレクタにマップされる。ブロック６２４で、表示が更新されて、現在選択されているビューが示される。処理がブロック６２１に進み、そこでチャネルビュー動作状態がＩＤＬＥ状態で維持される。電子デバイス内の電子システムは、ビューＩＤＬＥ状態の間、ユーザインターフェース（たとえば、４つのセレクタ）を監視する。ユーザが４つのセレクタのうち１つまたは複数を起動する場合、処理がビューＩＤＬＥ状態を離れる。
【００５１】
ブロック６２１でビューＩＤＬＥ状態がアクティブである間、表示は能動的に現在のビューを維持する。リストタイプビューは、選択することができる項目のリストを含む。他のタイプのビューは単に、表示ビューにおいて構成されるグラフィカルおよび／またはテキスト要素である。ビューの実施例を図８および９に例示する。ビューにサウンドの起動が伴う可能性があり、これは、ビューが変化したという可聴インジケータを提供する。可聴インジケータに関連付けられたサウンドを、各ビューについて同じ（たとえば、ビープタイプのインジケータまたはサウンドクリップ）にすることができ、あるいは、特定のビューに基づいて一意にすることができる。一実施例では、特定の警報通知機能が起動された場合、可聴インジケータが起動される。
【００５２】
「ａ」セレクタが起動される（たとえば、「ａ」ボタンを押し下げる）場合、処理が、ビューＩＤＬＥ状態（６２１）から「前のビュー」または「前の項目」機能（６２２）に流れる。処理がブロック６２２からブロック６２４に進み、そこで表示が、新たに選択されたビューに基づいて更新される。表示が更新された後、処理がビューＩＤＬＥ状態（６２１）に戻る。一実施例では、現在選択されているビューが現在のチャネルのための現在のモードにおける最初の使用可能なビューである場合、前のビューは最後のビューに対応する。もう１つの実施例では、現在選択されているビューが現在のチャネルのための現在のモードにおける最初の使用可能なビューである場合、前のビューはヌルに対応する。さらにもう１つの実施例では、「ａ」セレクタが起動された場合、リスト内の前の項目が強調表示される。
【００５３】
「ｂ」セレクタが起動される（たとえば、「ｂ」ボタンを押し下げる）場合、処理が、ビューＩＤＬＥ状態（６２１）から「次のビュー」または「次の項目」機能（６２３）に流れる。処理がブロック６２３からブロック６２４に進み、そこで表示が、新たに選択されたビューに基づいて更新される。表示が更新された後、処理が再度ビューＩＤＬＥ状態（６２１）に戻る。一実施例では、現在選択されているビューが現在のチャネルのための現在のモードにおける最後の使用可能なビューである場合、次のビューは最初のビューに対応する。もう１つの実施例では、現在選択されているビューが現在のチャネルのための現在のモードにおける最後の使用可能なビューである場合、次のビューはヌルに対応する。さらにもう１つの実施例では、「ｂ」セレクタが起動された場合、リスト内の次の項目が強調表示される。
【００５４】
「ｃ」セレクタが「Ｍ」によって示されるように起動された場合、処理が、ビューＩＤＬＥ状態（６２１）から「モードスプラッシュ」機能に流れる。詳細については、図６Ｄおよび関連の考察を参照されたい。
【００５５】
「ｃ＋」セレクタが「Ｈ」によって示されるように起動された場合、処理が、ビューＩＤＬＥ状態（６２１）からホームチャネルスプラッシュを選択機能に流れる。詳細については、図６Ａおよび関連の考察を参照されたい。
【００５６】
「ｄ」セレクタは、現在のチャネル、モードおよびビューのコンテキスト内で定義される。「ｄ」セレクタを、「拡張ビューに入る」機能、「選択」機能または「アクションを実行」機能として定義することができる。所与のチャネル／モード内のあらゆるビューが拡張ビューを有するとは限らず、これを空白値によって示すことができる。いくつかのビューは、現在選択されているモード／チャネル内のビューのコンテキスト内で定義されるアクション機能を有することができる。各ビューについてのコンテキストが、現在のチャネルのためのモードに入る際に、モードに割り当てられる。
【００５７】
「ｄ」セレクタが起動され（たとえば、ヘルプ画面が非アクティブである場合に「ｄ」ボタンを押し下げる）、拡張ビューが「ｄ（ＥＶ）」によって示すように使用可能である場合、処理が、ビューＩＤＬＥ状態（６２１）から「拡張ビューに入る」機能に流れる。拡張ビューは、現在選択されているビューのコンテキスト内で定義されている場合、使用可能である。たとえば、ニュースチャネルについて特定のニュースヘッドラインが表示された場合、拡張ビューを使用可能にすることができる。「ｄ」セレクタの起動により拡張ビューにアクセスし、これは、特定のニュースヘッドラインに関連付けられている詳細なニュース記事を含む。拡張ビュー処理の詳細については、図６Ｃおよび関連の考察を参照されたい。
【００５８】
「ｄ」セレクタが起動され、アクション機能が「ｄ（ＡＣＴ）」によって示すように使用可能である場合、ブロック６２６で処理が、ビューＩＤＬＥ状態（６２１）から「アクションを実行」機能に流れる。アクション機能は、現在選択されているビューのコンテキスト内で定義される。たとえば、おみくじ入りクッキーモードを、エンターテインメントチャネル内で使用可能にすることができる。おみくじ入りクッキーモードは単一のビューのみを有する可能性があるが、「ｄ」セレクタが起動された場合にリストから運勢をランダムに選択するアクション機能に、「ｄ」セレクタをマップすることができる。アクションが実行された（たとえば、リストからランダムな運勢を検索する、アニメーションシーケンスを実行する）後、処理がブロック６２４に進み、そこで表示が前述のように更新される。
【００５９】
他の特殊機能を、現在のビューのコンテキスト内の「ａ＋」、「ｂ＋」および「ｄ＋」セレクタにマップすることができる。所定の時間間隔（たとえば、２秒）に渡って対応するセレクタを起動することによって、対応する特殊機能が起動され、これをブロック６２５によって示す。処理がブロック６２５からブロック６２４に進み、そこで表示が前述のように更新される。
【００６０】
一実施例では、リストブラウザ機能がビュー内で使用可能であり、これはアドレス帳における特定の連絡先に対応する。この実施例では、「ａ」および「ｂ」セレクタの起動は、アドレス帳における追加の連絡先に対応する他のビューの中で一度に１つを手動でナビゲートする。「ａ＋」または「ｂ＋」セレクタの起動は、「Ａ」、「Ｂ」、「Ｃ」などの索引インジケータを表示する索引機能を起動することができる。索引機能がアクティブになった後、「ａ」および「ｂ」がスクロールアップおよびスクロールダウン機能にマップされ、「ｃ」がキャンセル機能にマップされ、「ｄ」が、現在の索引を選択する機能にマップされる。たとえば、アドレス帳の「Ｚ」セクションにおける連絡先に、アドレス帳における多数の連絡先の中を順にトラバースすることなく「Ｍ」索引を選択することによって、アクセスすることができる。索引付けシステムを、現在のビューの範囲内で定義されるいかなるタイプの索引付けシステムにすることもできる。たとえば、リストがアルファベット順で配列される場合、索引付けは「Ａ」、「Ｂ」、「Ｃ」などの文字に従って行われ、リストが時間的順序で配列される場合、索引付けは日付に従って行われる。
【００６１】
もう１つの実施例では、消去機能がビューにおいて使用可能であり、これは、メッセージチャネル内の特定のインスタントメッセージに対応する。この実施例では、「ａ」および「ｂ」セレクタの起動は、様々なメッセージ中で一度に１つを手動でナビゲートする。「ｄ＋」セレクタの起動は、現在のインスタントメッセージを電子デバイスから除去する、消去機能を起動することができる。
【００６２】
拡張動作状態
拡張ビュー動作状態を、以下のように図６Ｃを参照して説明する。  
電子デバイスがエントリポイントＥＶで拡張ビュー動作状態に入り、そこで、現在選択されている拡張ビューに関連付けられたセレクタ機能がセレクタにマップされる。ブロック６３４で、表示が更新されて、現在選択されている拡張ビューが示される。処理がブロック６３１に進み、そこで拡張ビュー動作状態がＩＤＬＥ状態で維持される。電子デバイス内の電子システムは、拡張ビューＩＤＬＥ状態の間、ユーザインターフェース（たとえば、４つのセレクタ）を監視する。ユーザが４つのセレクタのうち１つまたは複数を起動する場合、処理が拡張ビューＩＤＬＥ状態を離れる。
【００６３】
ブロック６３１で拡張ビューＩＤＬＥ状態がアクティブである間、表示は能動的に現在の拡張ビューを維持する。拡張ビューは、表示ビューにおいて構成されるグラフィカルおよび／またはテキスト要素を含む。拡張ビューの実施例を図９に例示する。
【００６４】
「ａ」セレクタが起動される（たとえば、「ａ」ボタンを押し下げる）場合、処理が、拡張ビューＩＤＬＥ状態（６３１）から「前のビュー」または「前の項目」機能（６３２）に流れる。処理がブロック６３２からブロック６３４に進み、そこで表示が、新たに選択された拡張ビューに基づいて更新される。表示が更新された後、処理が拡張ビューＩＤＬＥ状態（６３１）に戻る。一実施例では、現在選択されている拡張ビューが現在のチャネル／モードのための最初の使用可能な拡張ビューである場合、前のビューは最後の拡張ビューに対応する。もう１つの実施例では、現在選択されている拡張ビューが現在のチャネル／モードにおける最初の使用可能な拡張ビューである場合、前の拡張ビューは空白に対応する。
【００６５】
「ｂ」セレクタが起動される（たとえば、「ｂ」ボタンを押し下げる）場合、処理が、拡張ビューＩＤＬＥ状態（６３１）から「次のビュー」または「次の項目」機能（６３３）に流れる。処理がブロック６３３からブロック６３４に進み、そこで表示が、新たに選択された拡張ビューに基づいて更新される。表示が更新された後、処理が拡張ビューＩＤＬＥ状態（６３１）に戻る。一実施例では、現在選択されている拡張ビューが現在のチャネル／モードのための最後の使用可能な拡張ビューである場合、次のビューは最初の拡張ビューに対応する。もう１つの実施例では、現在選択されている拡張ビューが現在のチャネル／モードにおける最後の使用可能な拡張ビューである場合、次の拡張ビューは空白に対応する。
【００６６】
「ｃ」セレクタが「Ｍ」によって示されるように起動された場合、処理が、拡張ビューＩＤＬＥ状態（６３１）から「モードスプラッシュ」機能に流れる。詳細については、図６Ｄおよび関連の考察を参照されたい。
【００６７】
「ｄ」セレクタが「Ｖ」によって示されるように起動された場合、処理が、拡張ビューＩＤＬＥ状態（６３１）からビュー機能に流れる。詳細については、図６Ｂおよび関連の考察を参照されたい。
【００６８】
「ｃ＋」セレクタが「Ｈ」によって示されるように起動された場合、処理が、拡張ビューＩＤＬＥ状態（６３１）から「ホームチャネルスプラッシュを選択」機能に流れる。詳細については、図６Ａおよび関連の考察を参照されたい。
【００６９】
特殊機能を、現在のビューのコンテキスト内の「ａ」、「ｂ」、「ａ＋」および「ｂ＋」セレクタにマップすることができる。所定の時間間隔（たとえば、２秒）に渡って対応するセレクタを起動することによって、対応する特殊機能が起動され、これをブロック５３５によって示す。処理がブロック６３５からブロック６３４に進み、そこで表示が前述のように更新される。
【００７０】
モードスプラッシュ動作状態
モードスプラッシュ動作状態を、以下のように図６Ｄを参照して説明する。  
電子デバイスがエントリポイントＭでモードスプラッシュ動作状態に入る。ブロック６４４で、表示が更新されて、現在選択されているモードが示される。処理がブロック６４１に進み、そこでモードスプラッシュ動作状態がＩＤＬＥ状態で維持される。電子デバイス内の電子システムは、モードスプラッシュＩＤＬＥ状態の間、ユーザインターフェース（たとえば、４つのセレクタ）を監視する。ユーザが４つのセレクタのうち１つまたは複数を起動する場合、処理がモードスプラッシュＩＤＬＥ状態を離れる。
【００７１】
ブロック６４１でモードスプラッシュビューＩＤＬＥ状態がアクティブである間、表示は能動的に現在のモードスプラッシュ表示を維持する。モードスプラッシュビューは、表示ビューにおいて構成されるグラフィカルおよび／またはテキスト要素を含む。モードスプラッシュ表示の実施例を図６Ｄに例示する。モードスプラッシュ表示にサウンドの起動が伴う可能性があり、これは、選択されたモードが変化したという可聴インジケータを提供する。可聴インジケータに関連付けられたサウンドを、各モードスプラッシュについて同じ（たとえば、ビープタイプのインジケータまたはサウンドクリップ）にすることができ、あるいは、特定の選択されたモードに基づいて一意にすることができる。
【００７２】
「ａ」セレクタが起動される（たとえば、「ａ」ボタンを押し下げる）場合、処理が、モードスプラッシュＩＤＬＥ状態（６４１）から「前のモード」機能（６４２）に流れる。処理がブロック６４２からブロック６４４に進み、そこで表示が、新たに選択されたモードに基づいて更新される。表示が更新された後、処理がモードスプラッシュＩＤＬＥ状態（６４１）に戻る。一実施例では、現在選択されているモードが現在のチャネルのための最初の使用可能なモードである場合、前のモードは最後のモードに対応する。
【００７３】
「ｂ」セレクタが起動される（たとえば、「ｂ」ボタンを押し下げる）場合、処理が、モードスプラッシュＩＤＬＥ状態（６４１）から「次のモード」機能（６４３）に流れる。処理がブロック６４３からブロック６４４に進み、そこで表示が、新たに選択されたモードに基づいて更新される。表示が更新された後、処理がモードスプラッシュＩＤＬＥ状態（６４１）に戻る。一実施例では、現在選択されているモードが現在のチャネルのための最後の使用可能なモードである場合、次のモードは最初のモードに対応する。
【００７４】
「ｃ」セレクタが「ＣＳ」によって示されるように起動された場合、処理が、モードスプラッシュＩＤＬＥ状態（６４１）から「チャネルスプラッシュ」機能に流れる。詳細については、図６Ａおよび関連の考察を参照されたい。
【００７５】
「ｄ」セレクタが起動された場合または所定の間隔（たとえば２秒）後にタイムアウトが発生する場合、処理が、モードスプラッシュＩＤＬＥ状態（６４１）から「デフォルトビューを選択」機能（６４５）に流れる。処理がブロック６４５から、「Ｖ」によって示されるようにチャネルビュー動作状態に進む。詳細については、図６Ｂおよび関連の考察を参照されたい。
【００７６】
「ｃ＋」セレクタが「Ｈ」によって示されるように起動された場合、処理が、モードスプラッシュＩＤＬＥ状態（６４１）から「ホームチャネルスプラッシュを選択」機能に流れる。詳細については、図６Ａおよび関連の考察を参照されたい。
【００７７】
チャネルナビゲーションの実施例
図７は、一実施例の電子デバイスのためのナビゲーション機能を例示する図である。各チャネルは、対応するチャネルスプラッシュ画面および少なくとも１つのモードを有する。各モードは表示ビューを含む。図のように、第１のチャネルはチャネルスプラッシュおよび３つのモードを含む。また図のように、２つのビューが第１のモードについて使用可能であり、２つの拡張ビューが第２のビューについて使用可能である。
【００７８】
３つのチャネルを図７で例示するが、電子デバイスを、いかなる数のチャネルをも選択および表示するように構成することができる。あらゆるチャネルは少なくとも１つのモードを有するが、第２および第３のチャネルについてのモードは図示しない。
【００７９】
ナビゲーション機能の実施例を図７で、前述のように「ａ」、「ｂ」、「ｃ」および「ｄ」セレクタに従って例示する。追加のナビゲーション機能をまた、図示した物に加えて含めることもできる。
【００８０】
チャネル中のナビゲーションは、チャネルスプラッシュがアクティブである場合、「ｃ」セレクタの起動によって実施される。たとえば、ユーザは第１のチャネルから第２のチャネルおよび第３（最後）のチャネルへ、「ｃ」セレクタを繰り返し起動することによってナビゲートすることができる。別法として、チャネルスプラッシュがアクティブである間、ユーザは「ａ」および「ｂ」セレクタの起動によってチャネル中をナビゲートすることができる。最後のチャネル上で「ｃ」または「ｂ」セレクタを起動することにより、ユーザを第１のチャネルに戻すようにナビゲートする。第１のチャネル上で「ａ」セレクタを起動することにより、ユーザを最後のチャネルにナビゲートする。
【００８１】
選択されたチャネルに入ることは、「ｄ」セレクタの起動によって、あるいは、いかなるインタラクションもなしのタイムアウトによって実施される。たとえば、「ｄ」セレクタを起動することによって、ユーザは第１のチャネルスプラッシュから第１の（デフォルト）モード内の第１の（デフォルト）ビューへナビゲートすることができる。チャネルに入った後、様々なビュー中のナビゲーションが、図のように「ａ」および「ｂ」セレクタによって実施される。いかなるビューにおいて「ｃ」セレクタを起動することによっても、ユーザをモードスプラッシュ画面に戻るようにナビゲートする。いかなるビューから「ｃ＋」セレクタを起動することによっても、ユーザを第１の（ホーム）チャネルに戻るようにナビゲートし、モードスプラッシュ画面を再度表示する。
【００８２】
拡張ビューに入ることは、使用可能な拡張ビューを有するビューにおける「ｄ」セレクタの起動によって実施される。たとえば、図７に例示した第１のビューはいかなる拡張ビューも有していないが、第２のビューは使用可能な２つの拡張ビューを有する。第１のビューにおける「ｄ」の起動は結果として変化を生じないが、第２のビューにおける「ｄ」の起動は拡張ビューモードに入る。拡張ビューモードから、拡張ビュー中のナビゲーションが、図のように「ａ」および「ｂ」セレクタによって実施される。いかなる拡張ビューにおいて「ｄ」セレクタを起動することによっても、ユーザをビュー表示に戻るようにナビゲートする。いかなる拡張ビューにおける「ｃ」セレクタの起動によっても、再度モード選択スプラッシュ画面を起動する。また、いかなる拡張ビューから「ｃ＋」セレクタを起動することによっても、ユーザを第１の（ホーム）チャネルに戻るようにナビゲートする。
【００８３】
図８は、天気チャネルのためのチャネルナビゲーション機能のための様々な画面の例示（８００）である。前述のように、天気チャネルが最初に選択される場合、チャネルスプラッシュ画面が表示される。スプラッシュ画面が終了された後（タイムアウト間隔の満了を通じて、あるいは「ｄ」セレクタによるユーザインタラクションを通じることによって）、天気チャネルのためのデフォルトビュー（たとえば、シアトルの現在の気温）が表示される。
【００８４】
天気チャネルは、チャネルの構成に応じて、いくつかのモードを含むことができる。図８に例示した実施例は、地方の天気モード、および海外の天気モードを含む。現在のチャネル（この実施例では、天気チャネル）内の複数のモードの間のナビゲーションは、前述のように、モードスプラッシュを可能にした後、「ａ」および「ｂ」セレクタを起動することによって実施される。現在のモードのためのチャネルビューは、チャネルビューにアクセスされた後（たとえば、チャネルまたはモードを選択した後）、「ａ」および「ｂ」セレクタを起動することによってアクセスされる。天気チャネルのためのビューの実施例には、現在の気温、複数日の予報、風、湿度、日の出の時間、日没の時間、気圧、およびＵＶ指数が含まれる可能性がある。複数のビュー中のナビゲーションは、前述のように「ａ」および「ｂ」セレクタの起動によって実施される。最後のビューにおいて「ｂ」セレクタを起動することにより、図８に例示するように、ビューを最初のビューに戻るように循環させる。
【００８５】
天気チャネルを、複数のモードを有するように構成することができ、各モードが特定の天気チャネル（たとえば、地方の天気、国内の天気、海外の天気など）に対応する。各モードは特殊なスプラッシュ画面を有して、現在のモード内の変化を示すビジュアル（および、オプショナルで可聴）キューを与える。たとえば、メインビューが天気チャネルのための国内の天気モードにナビゲートする場合、「国内の天気」スプラッシュ画面を起動することができる。スプラッシュ画面が終了された（たとえば、タイムアウトまたはユーザインタラクションがスプラッシュ画面を終了させた）後、国内の天気のための詳細なビューの１つが即時に表示される。別法として、スプラッシュ画面が、「ｃ」セレクタまたは「ｃ＋」セレクタを押し下げることによって終了され、前述のように、チャネル選択スプラッシュ画面に戻るようにナビゲートされる。
【００８６】
図９は、メッセージチャネルのためのチャネルナビゲーション機能のための様々な画面の例示（９００）である。前述のように、メッセージチャネルが最初に選択される場合、チャネルスプラッシュ画面が表示される。スプラッシュ画面が終了された後（タイムアウト間隔の満了を通じて、あるいはユーザインタラクションを通じることによって）、メッセージチャネルのためのデフォルトビュー（たとえば、最近のメッセージ）が表示される。
【００８７】
メッセージチャネルは、それぞれが異なるメッセージに対応するいくつかのビューを含むことができる。図９に例示する実施例は、テキストメッセージ（たとえば、Ｊｏｈｎ  Ｃから）、別のテキストメッセージ（たとえば、Ｍｉｋｅ＠Ｗｏｒｋから）、オークションに関するメッセージ（たとえば、ｅｂａｙから）、国際宅配便からの通知（たとえば、ＵＰＳ）、および警報メッセージ（たとえば、家に電話せよ）を含む。現在のチャネル（この実施例では、メッセージチャネル）内の複数のビューの間のナビゲーションは、前述のように「ａ」および「ｂ」セレクタの起動によって実施される。いくつかのメッセージは、「ｄ」セレクタを起動することによってアクセスすることができる拡張ビューにおいて、さらなる詳細を含むことができる。メッセージの１つ（たとえば、Ｍｉｋｅ＠Ｗｏｒｋから）のための拡張ビューの実施例を、図９に例示する。拡張ビュー中のナビゲーションは、前述のように「ａ」および「ｂ」セレクタの起動によって実施される。いかなる拡張ビューからの「ｄ」セレクタの起動も、ビュー表示に戻るようにナビゲートする。最後のビューにおける「ｂ」セレクタ、または最初のビューにおける「ａ」の起動は、図９に例示するように、別のビューに循環しない。
【００８８】
以上、説明したように上述の実施形態では、セレクタは、チャネルスプラッシュおよびモードスプラッシュ動作状態については、デバイスにおける一貫性のあるインタラクションを有するが、あるセレクタは、他の動作状態についてはコンテキスト特有の機能にマップされる。コンテキスト特有の機能性により、デバイスの挙動における大幅な柔軟性が可能となる。
【００８９】
上記の明細書、実施例およびデータは、本発明の組成の製造および使用の完全な説明を提供する。本発明の多数の実施形態を、本発明の精神および範囲から逸脱することなく作成することができるので、本発明は、特許請求の範囲において存在する。
【図面の簡単な説明】
【００９０】
【図１】動作環境を例示する図である。
【図２】一実施例の電子デバイスの概略図である。
【図３】一実施例のユーザインターフェースを含む、一実施例の腕時計デバイスを例示する図である。
【図４】もう１つの実施例のユーザインターフェースを含む、もう１つの実施例の腕時計デバイスを例示する図である。
【図５】さらにもう１つの実施例のユーザインターフェースを含む、さらにもう１つの実施例の腕時計デバイスを例示する図である。
【図６Ａ】電子デバイスのナビゲーション機能の実施例のプロセス流れ図を例示する図である。
【図６Ｂ】電子デバイスのナビゲーション機能の実施例のプロセス流れ図を例示する図である。
【図６Ｃ】電子デバイスのナビゲーション機能の実施例のプロセス流れ図を例示する図である。
【図６Ｄ】電子デバイスのナビゲーション機能の実施例のプロセス流れ図を例示する図である。
【図７】一実施例の電子デバイスのナビゲーション機能の実施例を例示する図である。
【図８】本発明によって構成された、一実施例の電子デバイスからの画面表示の実施例の例示の図である。
【図９】本発明によって構成された、一実施例の電子デバイスからの画面表示の実施例の例示の図である。
【符号の説明】
【００９１】
３００、４００、５００  腕時計デバイス
３１０  ベゼル
３２０  ディスプレイ
３３０、３３４  ボタン
３３２  セレクタ
５３０  ホィールタイプのデバイス
【図１】
2004213669.tif 000003
【図２】
2004213669.tif 000004
【図３】
2004213669.tif 000005
【図４】
2004213669.tif 000006
【図５】
2004213669.tif 000007
【図６Ａ】
2004213669.tif 000008
【図６Ｂ】
2004213669.tif 000009
【図６Ｃ】
2004213669.tif 000010
【図６Ｄ】
2004213669.tif 000011
【図７】
2004213669.tif 000012
【図８】
2004213669.tif 000013
【図９】
2004213669.tif 000014